(57)【要約】【課題】  伸縮可能且つ脚部と支持軸との分離接続及び回転が容易な室内用一本足物干し装置を提供し、洗濯物の着脱作業を簡素化可能にすると共に装置の設置・取り外し作業を容易にすることを目的とする。【解決手段】  床面等に載置される細長形状の基部から上方に延出される脚部の先端に継手を接続し、該継手に先端から水平方向に延出され洗濯物等を吊り下げることができる掛止部を有す支持軸を着脱可能に嵌合させると共に軸直交方向に回動自在にする。また、前記掛止部の高さを調整可能にするために前記継手に軸線方向に進退可能とされるフランジを設けた。【選択図】  図１
2005288067.tif 000002
【特許請求の範囲】
【請求項１】
床面等水平面上に載置される細長形状の基部と、該基部から上方に延出される脚部と、該脚部の先端に接続される継手を介して接続され該継手に着脱可能に嵌合されると共に軸直交方向に回動自在とされる支持軸と、該支持軸から水平方向に延出され洗濯物等を吊り下げることができる掛止部とを備え自立できないことを特徴とする室内用一本足物干し装置
【請求項２】
床面等水平面上に載置される細長形状の基部と、該基部から上方に延出される脚部と、該脚部の先端に接続され軸線方向に進退可能とされるフランジを有す継手と、該継手に着脱可能に嵌合されると共に軸直交方向に回動自在とされる支持軸と、該支持軸から水平方向に延出され洗濯物等を吊り下げることができる掛止部とを備え自立できないことを特徴とする室内用一本足物干し装置
【発明の詳細な説明】
【発明の詳細な説明】
【技術分野】
【０００１】  本発明は、室内用一本足物干し装置に関するものであり、室内で洗濯物等を干すための物干し等として利用される。
【背景技術】
【０００２】  従来の室内用一本足物干し装置は本発明人が特開平８−２４４９０号で提案した装置がある。ここでは、脚部を形成する伸縮軸を伸縮させて掛止部の高さを変えて洗濯物の着脱をしていた。
この装置によれば脚部が伸縮できるので天井の高さに応じて掛止部の高さを調整できる。また、掛止部の高さを天井近くに配設できるので掛止部に掛けた洗濯物の投影面下の床を有効利用できる。また、洗濯物が早く乾く。また、一本足物干し装置の占有床面設置面積が小さい等の優れた利点がある。
【特許文献１】特開平８−２４４９０号
【発明の開示】
【発明が解決しようとする課題】
【０００３】  しかしながら、上記従来の一本足物干し装置は、次の様な問題があった。
第１に、洗濯物の着脱毎に脚部を伸縮させる作業が極めて煩雑であった。
つまり、衣類等洗濯物を吊るす際は洗濯物の重量が負荷されても脚部が縮まないように伸縮軸をロックする為には強い力でナットを締付ける作業が要求され、その為には、例えば、脚部を壁に近接させるに伴いナットが壁に当接する一方、掛止部の先端が対向する壁面に当接されて掛止部に洗濯物を吊せる「通常使用姿勢」から掛止部の先端を対向する壁面から離間させて前記ナットをしっかり握れるように壁から離間させ「強い力でナットを締付ける作業をし得る姿勢」にその姿勢を大きく変化させてロック作業を行った後、再び、「通常使用姿勢」に戻さなければならなかった。また、洗濯物を降ろす際も前述工程で強固にロックされている為に「通常使用姿勢」では壁に当接するナットを握ることができない為、十分な解除力を与えることができずロック状態を解除できない。この為、前述同様にその姿勢を大きく変えるロック解除作業が必要であった。【０００４】  第２に、脚部を適宜手段により室内に立てて衣類を吊す場合は掛止部の軸を壁と交差する方向に突出させ、衣類を吊るさない場合は掛止部の軸を壁と平行にして収納する等その姿勢を任意変化させる必要があるが、この際も脚部がロックされているので上述同様、極めて煩雑な作業を強いられる。等の問題があった。
第３に、基部と脚部と掛止部とが一体化されていたので所用場所への設置・取り外しがしにくかった。【０００５】  本発明は、上述従来の問題点を解決することを課題としてなされたもので、伸縮可能且つ脚部と支持軸との分離接続及び回転が容易な室内用一本足物干し装置を提供し、洗濯物の着脱作業を簡素化可能にすると共に装置の設置・取り外し作業を容易にすることを目的とする。
【課題を解決するための手段】
【０００６】  本発明の請求項１の室内用一本足物干し装置は、床面等水平面上に載置される細長形状の基部と、該基部から上方に延出される脚部と、該脚部の先端に接続される継手を介して接続され該継手に着脱可能に嵌合されると共に軸直交方向に回動自在とされる支持軸と、該支持軸から水平方向に延出され洗濯物等を吊り下げることができる掛止部とを備え自立できないことを特徴とする。【０００７】  また、請求項２の室内用一本足物干し装置は、床面等水平面上に載置される細長形状の基部と、該基部から上方に延出される脚部と、該脚部の先端に接続され軸線方向に進退可能とされるフランジを有す継手と、該継手に着脱可能に嵌合されると共に軸直交方向に回動自在とされる支持軸と、該支持軸から水平方向に延出され洗濯物等を吊り下げることができる掛止部とを備え自立できないことを特徴とする。
【発明の効果】
【０００８】  上記構成の本発明に係わる室内用一本足物干し装置は、全体側面視形状はＬ字を頭立させたような形状とされ、基部を壁に近接・平行にして床に載置してその上方に直列接続された脚部、連結継手、支持軸のどれかを適宜手段により支持させると自立する。
そして、同一軸心を有す連結継手と支持軸は嵌合されて軸直交方向に回動自在とされているので支持軸を持って軸直交方向に回転させると掛止部も支持軸の軸心を中心として枢動する。また、支持軸を上方に持ち上げると容易に嵌合状態が解除され連結継手から支持軸が離脱される。
連結継手に伸縮機能付きの場合は、可動フランジを正逆転させると可動フランジの床面からの高さが変わるので該可動フランジ上に載置される支持軸も高さが変えられて掛止部の高さが調節される。【０００９】  以上の機能を備えた本発明に係わる室内用一本足物干し装置は、支持軸を着脱自在としたので従来に比べてナットを操作する煩雑さが無くなり衣類等の掛け外しの作業性が向上した。また、支持軸を回動自在にすると容易に掛止部の向きを変えることができる。これにより、容易に使用姿勢と収納姿勢に切換ができる。さらにまた、継手と脚部との嵌合長さが一定以上確保されるようにしたので継手から脚部が外れることが無く安全である。また、継手を含む掛止部の両端は平面形状としたので廊下で使用の場合は壁面に略直角に配設できる。これにより、装置が確実に自立できる。また、脚部、支持軸、掛止部の断面を同一化できるので材料の仕入管理が容易になる等の優れた実用的な効果がある。
【発明を実施するための最良の形態】
【実施例１】
【００１０】  以下に本発明に係わる室内用一本足物干し装置の望ましい実施例を図面に従って説明するが、これにより本発明は何等限定されるものではない。【００１１】  図１〜図２は本発明に係わる室内用一本足物干し装置の第１実施例を示したものである。図１において、室内用一本足物干し装置１は、外径３０ミリメートルの円形のパイプからなる基部２の中央部上方に突出される断面円形で外径２７ミリメートルの継手２ａが外径３０ミリメートル，内径２７．３ミリメートルの断面円形のパイプから成る脚部３の下端中空部に着脱自在に挿入される一方、該脚部３の上端中空部にフランジ付連結継手４の雄ネジ部（外径２７ミリメートル）４ａが挿入されている。【００１２】  該フランジ付連結継手４は図３の拡大図に示すようにフランジ４ｂから下方に延びる断面円形の突部外周面には雄ネジ４ａが螺刻されて可動フランジ５が螺合され可動フランジ５を正転・逆転させるとネジに沿って可動フランジ５が上下動するようにされている。また、雄ネジ部４ａ下端から適宜上方には長さが前記雄ネジの外径と同一乃至僅かに短くされたストッパピン６がフランジ付連結継手４の軸と直交して嵌着されている。これにより、可動フランジ５はストッパピン６に当接するとそれ以上下方に移動できないよう規制されている。【００１３】  一方、フランジ４ｂから上方に延びる断面円形の突部は外径が雄ネジ部外径と同一とされる円柱状のインロー部４ｃとされ脚部３の断面と同一形状とされるパイプから成る支持軸７の下端中空部に挿入されてフランジ４ｂの上に支持軸７が載置されている。
該支持軸７はフランジ付連結継手４の軸心を中心として回動自在とされると共にインロー部４ｃに着脱自在とされている。
また、可動フランジ５の下方移動がストッパピン６により規制されているのでフランジ付連結継手４の雄ネジ部４ａは一定長さ（支持軸内径の１〜１．２倍）が常に脚部３の上端中空部に挿入されるようになっている。これにより、フランジ付連結継手４は脚部３に安全支持され、ひいては支持軸７も安全支持される。【００１４】  そして、支持軸７の先端に９０度エルボ継手８を介して先端に膨出部９ａを有す脚部３の断面と同一形状とされるパイプから成る掛止部９が水平に連結されている。
なお、支持軸７と９０度エルボ継手８とは着脱自在に連結されており（固着されていても良い）、図２に示すように９０度エルボ継手８の壁に対向する面と膨出部９ａの壁に対向する面は互いに平行な平面とされている。【００１５】  そして、紐１０ａの先端にフック１０ｂが連結される繋止具１０の他端が室内用一本足物干し装置１に連結されて、この繋止具１０が脚部３乃至支持軸７の軸方向に進退自在に取付けられている。【００１６】以上のような構成においてその作用を説明する。図４に示すように廊下で使用する場合、例えば、まず、天井から下方に約１０センチメートル程離間する高さに掛止部９を配置させるために高さ調整をする。これは、基部２を床に載置して脚部３、連結継手４、支持軸７、９０度エルボ継手８を直列連結して立設させた後、可動フランジ５を正逆転させて掛止部９の高さが前記高さ程度になるようフランジ４ｂの高さを調節し、該フランジ４ｂ上に載置される支持軸７の高さを調節することにより掛止部９を前記高さ程度に調節できる。
この際、掛止部９の先端から９０度エルボ継手８の端面迄の長さは予め対面する壁の内面間隔より若干小さくされている。
そして、基部２は軸線を壁と平行にして壁面に近接させて床に載置し脚部３、連結継手４、支持軸７を直立させる。次いで、基部２が近接された壁と対面する壁に掛止部９の先端を当接させると掛止部９の先端と基部２の少なくとも２点がそれぞれ壁と床とで支持され所謂３点支持されることにより室内用一本足物干し装置１が自立する。この際、断面円形のパイプとされる支持軸７と９０度エルボ継手８とは着脱自在に連結しているが、９０度エルボ継手８の壁に対向する面と膨出部９ａの壁に対向する面は互いに平行な平面とされているので、掛止部９は壁に対して直行状態が維持されるので確実に自立する。【００１７】  自立した室内用一本足物干し装置１の掛止部９から洗濯物を掛け外す方法は、図４のように室内用一本足物干し装置１を自立させた状態で先端がＹ字状とされる延長棒を使って衣類が支持されたハンガーをＹ字の股部に載せて掛け外す方法や、身長不足を補うべく台上に載って衣類が支持されたハンガーを掛け外す方法、あるいは又、支持軸７を連結継手４から外して床に降ろして掛止部９に衣類が支持されたハンガーを掛けて再び支持軸７を持上げてその下部中空部に連結継手４のインロー部４ｃを挿入して連結継手４に支持軸を７連結させる方法がある。前者の方法によれば、Ｙ字状の延長棒が必要になるが支持軸７を着脱しなくても良いので洗濯物の着脱作業が簡素化される利点がある。前記いずれかの方法によって衣類を掛止部９に吊せば洗濯物の投影面下の床面を通行できる等空間を有効に利用できる効果を奏す。【００１８】  また、図５に示すように、カーテンレール１４を備えた部屋で使用する場合、前述同様に壁に近接させて基部２を床面に載置し支持軸７を壁とカーテンレール１４との間の空隙部に配置すると掛止部９の重さにより一本足物干し装置１がカーテンレール１４側に倒れ、支持軸７がカーテンレール１４に当接して室内用一本足物干し装置１が自立する。（壁に手摺り１５を備えた部屋では脚部３を壁と手摺り１５との空隙部に配置すると掛止部９の重さにより室内用一本足物干し装置１が手摺り側に倒れ、脚部３が手摺り１５に当接して室内用一本足物干し装置１が自立する。）
次いで、前述いずれかの方法で洗濯物を吊せば洗濯物の投影面下の床面を通行できる等空間を有効に利用できる効果を奏す。【００１９】  また、洗濯物を吊さない場合は掛止部９が室内側に突出して美観を損ねるので掛止部を壁面と略平行にして収納すると良い。この際は、支持軸７を持って掛止部９の軸線が壁面と略平行になるよう軸直角方向に回転させると掛止部９も同期回転して掛止部９の軸線が壁面と略平行になる。【００２０】  なお、カーテンレールがない部屋で利用する場合は、壁面に近接させて室内用一本足物干し装置１を立てて支持具としての繋止具１０のフック１０ｂを、例えば部屋の鴨居等に掛止させると室内用一本足物干し装置１が自立する。【００２１】  また、上記実施例では、掛止部９は伸縮できる構造としてないが本発明に利用の連結継手４や公知の伸縮棒固定構造を利用して伸縮できる構造にしても良い。これにより、若干高価になるが廊下の幅に応じて掛止部長さを調節できるので汎用性が高まる効果がある。【００２２】  また、支持軸７を介して掛止部の高さを調整する構造は上記実施例に限定されるものでなく、図６に示すように、上端が開口されて支持軸７が着脱自在且つ回動自在に挿入される中空部と脚部３０の先端部外周面に螺着され正逆転させることにより軸方向に進退動する雌ネジ部４０ａとを備えた連結継手４０や図７に示すように、支持軸７を載置可能なフランジから上方に突出され支持軸下端の中空部に着脱自在且つ回動自在に挿入されるインロー部と下方に突出され脚部３１の上端部中空部内面に螺着され正逆転させることにより軸方向に進退動する雄ネジ部４１ａとを備えた連結継手４１でも上記実施例と同様の作用を果たす。
なお、脚部３０の先端部と雌ネジ部４０ａとの安全螺合長さを視認させるため脚部先端部一定長の表面を色分けする。また、脚部３１の先端部と雄ネジ部４１ａとの安全螺合長さを視認させるため雄ネジ部４１ａ先端部一定長の表面を色分けする。【００２３】  また、上記変形例として、支持軸７が挿入される中空部と雄ネジ部とを組合わせた連結継手やフランジ付インロー部と雌ネジ部とを組合わせた連結継手でも良いし、あるいは又、前記連結継手４０，４１を上下反転させて利用しても良い。この際は、連結継手４０の中空部に脚部３の先端を挿入する一方、雌ネジ部４０ａは支持軸７の下端部外周面に形成する雄ネジに螺着させて連結継手４０の中空部を介して脚部３と着脱する。
また、連結継手４１のインロー部を脚部３の先端中空部に挿入する一方、雄ネジ部４１ａを支持軸７の下端部中空部内面に形成する雌ネジに螺着させて連結継手４１の中空部を介して脚部３と着脱するようにしても良い。【００２４】  さらに別の連結継手の例として、図８に示すようにナット５０の下部とコレット５１の下部を螺合させてナット５０を正逆転するとコレット５１が連結継手４２の胴部４２ａを挟着開放する、所謂コレットチャック方式でも良い。
図に示すように、ナット５０を正転してコレット５１が連結継手４２の胴部４２ａを挟着させて脚部３の先端にコレット５１を載置すると連結継手４２が脚部３に支持される。この際も、胴部下端部一定長の外径は脚部先端部の中空部に挿入可能とされるが胴部４２ａの外径より大きい外径とされているのでコレット５１の可動範囲は胴部４２ａの範囲とされる。したがって、実施例１と同様に、連結継手４２の下部は一定長さ（支持軸内径の１〜１．２倍）が常に脚部３の上端中空部に挿入されるようになっており、連結継手４２は脚部３に安全支持されひいては支持軸７も安全支持される。【００２５】  また、上記変形例として、図９に示すように、ナット５０とコレット５１に変えて略Ｃ字状の止め具５２を胴部４２ａに巻着し蝶ボルト５３の先端部を一側端部と螺合させる一方他側端部に貫設される孔に蝶ボルト５３を挿通させて蝶ボルト５３の正逆転により止め具５２が胴部４２ａを挟着開放する構成にしても良い。この際は、脚部３の先端に止め具５２が載置されて連結継手４２が脚部３に支持される。【００２６】  また、上記実施例では、支持軸の高さ調整が連続的にできる構造としたがこれに限定されるものではない。すなわち、図１０に示すように断面Ｈ形とされ上端と下端が開口される中空の連結継手４４の下部中空部に挿入される高さ調整部材４４１を介して脚部３と着脱自在に接続する一方、上部中空部と支持軸７とを着脱自在且つ回動自在に嵌合してもよいし、あるいはまた、図１１に示すように支持軸７と脚部３の中空部に遊嵌される軸部を備えたフランジ付き連結継手４５の下部軸部が挿入される高さ調整部材４５１を介して脚部３と着脱自在に接続する一方、上部軸部と支持軸７とを着脱自在且つ回動自在に嵌合してもよい。
要するに、支持軸７の高さが任意調整でき、且つ、着脱可能な構造で有ればどのような構造でも良い。【００２７】  また、掛止部９の形状を棒状としたがこれに限定されるものでなく、図１２の（ａ）に示すような格子板状掛止部９０，（ｂ）に示すような掛止部多列掛止部９１等の掛止具でも良いことは言うまでもない。これにより、掛止具を壁に複数点支持させることも可能になり装置の自立状態をさらに安定できると共に洗濯物を沢山吊せるようになる。【００２８】    また、脚部３は一本としたがこれに限定されるものでなく、図１３の（ａ）に示すように、基部上面に基部の軸方向に適宜離間させて複数の脚部を立設させても良い。また、（ｂ）に示すように脚部が基部を兼ねる板状の脚部でも良い。これにより、掛止具を複数配置できるようになるので洗濯物を沢山吊せるようになる
【産業上の利用の可能性】
【００２９】  特には室内での衣類掛けに利用される。
【図面の簡単な説明】
【００３０】
【図１】本発明による室内用一本足物干し装置の第１実施例を示す側面図である。
【図２】第１実施例の掛止部の平面拡大図である。
【図３】第１実施例の連結継手部の要部拡大断面図である。
【図４】本発明による室内用一本足物干し装置の使用例を示す要部断面図である。
【図５】本発明による室内用一本足物干し装置の他の使用例を示す要部断面図である。
【図６】他の連結継手の使用例を示す要部断面図である。
【図７】さらに他の連結継手の使用例を示す要部断面図である。
【図８】さらに他の連結継手の使用例を示す要部断面図である。
【図９】さらに他の連結継手の使用例を示す要部断面図である。
【図１０】さらに他の連結継手の使用例を示す要部断面図である。
【図１１】さらに他の連結継手の使用例を示す要部断面図である。
【図１２】他の掛止部形状を示す平面図である。
【図１３】他の脚部形状を示す斜視図である。
【符号の説明】
【００３１】１  室内用一本足物干し装置          ２  基部
３、３０、３１  脚部
４、４０、４１、４２、４３、４４、４５  連結継手
５  可動フランジ                    ６  ストッパピン
７、７０、７１  支持軸              ８  ９０°エルボ継手
９  掛止部                      １０  繋止具
【図１】
2005288067.tif 000003
【図２】
2005288067.tif 000004
【図３】
2005288067.tif 000005
【図４】
2005288067.tif 000006
【図５】
2005288067.tif 000007
【図６】
2005288067.tif 000008
【図７】
2005288067.tif 000009
【図８】
2005288067.tif 000010
【図９】
2005288067.tif 000011
【図１０】
2005288067.tif 000012
【図１１】
2005288067.tif 000013
【図１２】
2005288067.tif 000014
【図１３】
2005288067.tif 000015